(57)【要約】  本発明は、電磁弁のための弁カートリッジ（１）であって、カプセル（３）と、該カプセル（３）内で可動にガイドされている可動子（５）と、第１の端部で以って前記カプセル（３）内に押し込まれている中空円筒形のバルブインサート（８）と、メインバルブシート（９．１）を備えた弁体（９）とを有しており、該弁体（９）が中空円筒形の前記バルブインサート（８）の第２の端部内に挿入されており、この場合、前記可動子（５）が、前記バルブインサート（８）内でガイドされているプランジャ（１０）を移動させ、該プランジャ（１０）が、ベース体（１１）と、閉鎖部材（１１．２）を備えた閉鎖体（１１．１）とを有しており、前記閉鎖部材（１１．２）が、シール機能を実施するために前記弁体（９）のメインバルブシート（９．１）内に気密に侵入し、この場合、前記プランジャ（１０）の前記ベース体（１１）に少なくとも１つの調整溝（１６）が設けられていて、該調整溝（１６）がシール領域（９．２）と可動子室（７）との間の体積調整（１４）を可能にする形式のもの、並びにこのような弁カートリッジ（１）を有する対応する電磁弁に関する。この場合、前記ベース体（１１）が、該ベース体の、前記可動子（５）に向けられた端部に、前記バルブインサート（８）内で前記プランジャ（１０）の半径方向のガイド（１９）を形成する閉じた円筒形の外側輪郭（１２）と、軸方向の切欠（１３）とを有しており、前記軸方向の切欠（１３）が、前記ベース体（１１）内の少なくとも１つの前記調整溝（１６）とのオーバラップ（１７）を有していて、少なくとも１つの半径方向の切欠（１８）を介して前記可動子室（７）に接続されている。【選択図】  図１
2019515221.tif 000002
【特許請求の範囲】
【請求項１】
電磁弁のための弁カートリッジ（１）であって、カプセル（３）と、該カプセル（３）内で可動にガイドされている可動子（５）と、第１の端部で以って前記カプセル（３）内に押し込まれている中空円筒形のバルブインサート（８）と、メインバルブシート（９．１）を備えた弁体（９）とを有しており、該弁体（９）が中空円筒形の前記バルブインサート（８）の第２の端部内に挿入されており、この場合、前記可動子（５）が、前記バルブインサート（８）内でガイドされているプランジャ（１０）を移動させ、該プランジャ（１０）が、ベース体（１１）と、閉鎖部材（１１．２）を備えた閉鎖体（１１．１）とを有しており、前記閉鎖部材（１１．２）が、シール機能を実施するために前記弁体（９）のメインバルブシート（９．１）内に気密に侵入し、この場合、前記プランジャ（１０）の前記ベース体（１１）に少なくとも１つの調整溝（１６）が設けられていて、該調整溝（１６）がシール領域（９．２）と可動子室（７）との間の体積調整（１４）を可能にする形式のものにおいて、
前記プランジャ（１０）が、該プランジャの、前記可動子（５）に向けられた端部に、前記バルブインサート（８）内で前記プランジャ（１０）の半径方向のガイド（１９）を形成する環状円筒形の外側輪郭（１２）と、軸方向の切欠（１３）とを有しており、前記軸方向の切欠（１３）が、前記ベース体（１１）内の少なくとも１つの前記調整溝（１６）とのオーバラップ（１７）を有していて、少なくとも１つの半径方向の切欠（１８）を介して前記可動子室（７）に接続されていることを特徴とする、電磁弁のための弁カートリッジ。
【請求項２】
前記ベース体（１１）が複数のウエブ（１５）および調整溝（１６）を有しており、これらのウエブ（１５）および調整溝（１６）が、前記軸方向の切欠（１３）とのそれぞれ１つのオーバラップ（１７）を有していることを特徴とする、請求項１記載の弁カートリッジ。
【請求項３】
前記プランジャ（１０）の可動子当接面に、前記軸方向の切欠（１３）を前記可動子室（７）に接続する複数の半径方向の切欠（１８）が形成されていることを特徴とする、請求項１または２記載の弁カートリッジ。
【請求項４】
前記プランジャ（１０）がプラスチック射出成形部分として構成されていて、該プラスチック射出成形部分の前記ベース体（１１）に、前記円筒形の外側輪郭（１２）、前記軸方向の切欠（１３）および少なくとも１つの前記半径方向の切欠（１８）を備えた中空円筒形体が射出成形されていることを特徴とする、請求項１から３までのいずれか１項記載の弁カートリッジ。
【請求項５】
前記バルブインサート（８）が、スリットの付けられた一体的なスリーブとして構成されていることを特徴とする、請求項１から４までのいずれか１項記載の弁カートリッジ。
【請求項６】
前記弁体（９）がキャップ状のスリーブとして構成されていて、該スリーブは、前記メインバルブシート（９．１）が前記バルブインサート（８）内に配置されるように、前記バルブインサート（８）の前記第２の端部内に押し込まれていることを特徴とする、請求項１から５までのいずれか１項記載の弁カートリッジ。
【請求項７】
磁石構造群および弁カートリッジ（１）を有する電磁弁であって、前記弁カートリッジ（１）内に、磁石構造群により生ぜしめられた磁力によって可動である可動子（５）が可動にガイドされている形式のものにおいて、前記弁カートリッジ（１）が請求項１から６までのいずれか１項に従って構成されていることを特徴とする、電磁弁。
【発明の詳細な説明】
【技術分野】
【０００１】
本発明は、独立請求項１の上位概念部に記載した、電磁弁のための弁カートリッジに関する。本発明の対象は、このような弁カートリッジを備えた電磁弁でもある。
【背景技術】
【０００２】
無電流開放式の電磁弁では、シールエレメントとして閉鎖部材を備えたプランジャが使用される。プランジャガイドは、一般的に複数のウエブおよび切欠を備えたクローバーの葉の形に構成されている。ウエブ間の切欠は、弁のシール領域と可動子室との間の体積調整を保証する。ウエブ自体は、バルブインサートとプランジャとの間の傾斜角度を制限する。これは、バルブインサートが、周方向でウエブ幅よりも小さい、部分的な小さい真円度偏差だけを有している限り有効である。この領域がより大きい場合、プランジャはこの箇所で局所的により大きく傾く。しかしながら、傾き角度は、圧力調整精度およびそのばらつき若しくは再現性に影響を及ぼす。
【０００３】
特許文献１によれば、例えば次のような弁カートリッジ、つまり、スリーブと、スリーブに接続されたバルブインサートと、スリーブ内において閉鎖位置と開放位置との間でリターンスプリングの力に抗して軸方向に可動にガイドされている、閉鎖幾何学的形状を有するプランジャに連結された弁可動子と、バルブインサートに接続され、かつバルブシートを備えた弁体とを有しており、このバルブシートが少なくとも１つの第１の流体開口と少なくとも１つの第２の流体開口との間に配置されている弁カートリッジが公知である。閉鎖幾何学的形状は、閉鎖位置内でバルブシートのシート幾何学的形状と気密に協働し、少なくとも１つの第１の流体開口と少なくとも１つの第２の流体開口との間の流体の流れを遮断する。開放位置で、閉鎖幾何学的形状はバルブシートから持ち上げられ、少なくとも１つの第１の流体開口と少なくとも１つの第２の流体開口との間で流体の流れを可能にする。
【先行技術文献】
【特許文献】
【０００４】
【特許文献１】独国特許出願公開第１０２００９０２６８５３号明細書
【発明の概要】
【発明の効果】
【０００５】
独立請求項１の特徴を有する、電磁弁のための弁カートリッジは、プランジャの、可動子に向けられた端部に設けられた環状円筒形の外側輪郭によって、プランジャの傾きは、部分的な比較的大きい真円度偏差においても制限され得る、という利点を有している。しかも、本発明による弁カートリッジの実施例は製造公差に対してより安定している。これは、好適な形式で、圧力調整精度、構成部分製造公差に基づく圧力調整精度のばらつき並びに、同一の弁カートリッジにおける再現性に当てはまる。シール領域と可動子室との間の体積調整はさらに、好適な形式で軸方向の切欠によって保証されており、この軸方向の切欠は、ベース体内で少なくとも１つの調整溝とのオーバラップを有していて、少なくとも１つの半径方向の切欠を介して可動子室と接続されている。
【０００６】
プランジャの端部に配置された円筒形の外側輪郭は、全周面に亘って運動範囲を半径方向で制限する。このことから、好適な形式で、バルブインサート内におけるプランジャのより精確な改善されたガイドが得られる。円筒形の外側輪郭のガイド領域内における横断面狭窄部は、体積調整によって好適な形式で切換速度に影響を及ぼすことはない。
【０００７】
プラスチック射出成形部分としての構成では、既存の機械若しくは工具構想によって、このプランジャのデザインを制作することができる。工具キャビティの簡単な適合、および射出プロセス技術的な防護が必要なだけである。
【０００８】
本発明の実施例は、カプセルと、このカプセル内で可動にガイドされている可動子と、第１の端部で以ってカプセル内に押し込まれている中空円筒形のバルブインサートと、メインバルブシートを備えた弁体とを有しており、この弁体が中空円筒形のバルブインサートの第２の端部内に挿入されている、電磁弁のための弁カートリッジを提供する。可動子は、バルブインサート内でガイドされているプランジャを移動させ、このプランジャが、ベース体と、閉鎖部材を備えた閉鎖体とを有しており、閉鎖部材が、シール機能を実施するために弁体のメインバルブシート内に気密に侵入するようになっている。プランジャのベース体には少なくとも１つの調整溝が設けられていて、この調整溝がシール領域と可動子室との間の体積調整を可能にする。この場合、プランジャが、このプランジャの、可動子に向けられた端部に、バルブインサート内でプランジャの半径方向のガイドを形成する環状円筒形の外側輪郭と、軸方向の切欠とを有しており、この軸方向の切欠が、ベース体内の少なくとも１つの調整溝とのオーバラップを有していて、少なくとも１つの半径方向の切欠を介して可動子室に接続されている。
【０００９】
また、磁石構造群および弁カートリッジを有する電磁弁が提案されており、この場合、弁カートリッジ内に、磁石構造群により生ぜしめられた磁力によって可動である可動子が可動にガイドされている。
【００１０】
従属請求項に記載した手段および発展形態によって、独立請求項１に記載された、電磁弁のための弁カートリッジの好適な改善が可能である。
【００１１】
特に好適には、ベース体が複数のウエブおよび調整溝を有することが可能であり、これらのウエブおよび調整溝が、軸方向の切欠とのそれぞれ１つのオーバラップを有していることである。また、プランジャの可動子当接面に、軸方向の切欠を可動子室に接続する複数の半径方向の切欠が形成されていてよい。軸方向の切欠の寸法、並びに調整溝および半径方向の切欠の数および寸法は、好適な形式で、減衰特性および弁ダイナミックスに課せられた要求が満たされるか若しくは維持されるように、選定および構成されてよい。
【００１２】
電磁弁のための弁カートリッジの好適な実施形態では、プランジャがプラスチック射出成形部分として構成されていて、このプラスチック射出成形部分のベース体に、円筒形の外側輪郭、軸方向の切欠および少なくとも１つの半径方向の切欠を備えた中空円筒形体が射出成形されてよい。
【００１３】
電磁弁のための弁カートリッジの別の好適な実施態様では、バルブインサートが、スリットの付けられた安価な一体的なスリーブとして構成されていてよい。弁体は、例えばキャップ状のスリーブとして構成されていてよく、このスリーブは、メインバルブシートがバルブインサート内に配置されるように、バルブインサートの第２の端部内に押し込まれていてよい。
【図面の簡単な説明】
【００１４】
【図１】電磁弁のための弁カートリッジの一実施例の概略的な断面図である。
【図２】図１に示した電磁弁のための弁カートリッジの実施例のＩＩ―ＩＩ交線に沿った概略的な断面図である。
【図３】図１に示した電磁弁のための弁カートリッジの実施例のＩＩＩ―ＩＩＩ交線に沿った概略的な断面図である。
【図４】図１に示した電磁弁のための弁カートリッジのプランジャの一実施例の、上方から見た概略的な平面図である。
【図５】図１に示した電磁弁のための弁カートリッジのプランジャの一実施例の、下方から見た概略的な平面図である。
【図６】バルブインサートが部分的な真円度偏差を有する、電磁弁のための従来の弁カートリッジの可動子室の領域内の概略的な断面図である。
【図７】バルブインサートが部分的な真円度偏差を有する、図１に示した電磁弁のための弁カートリッジの可動子室の領域内の概略的な断面図である。
【発明を実施するための形態】
【００１５】
本発明の一実施例が図面に示されていて、以下に詳しく記載されている。
【００１６】
図１乃至図５に示されているように、電磁弁のための本発明による弁カートリッジ１の図示の実施例は、カプセル３と、このカプセル３内で可動にガイドされている可動子５と、第１の端部で以ってカプセル３内に押し込まれた中空円筒形のバルブインサート８と、中空円筒形のバルブインサート８の第２の端部内に挿入されたメインバルブシート９．１を備えた弁体９とを有している。可動子５は、バルブインサート８内でガイドされているプランジャ１０を移動させ、このプランジャ１０は、ベース体１１と、閉鎖部材１１．２を備えた閉鎖体１１．１とを有しており、閉鎖部材１１．２は、シール機能を実施するために弁体９のメインバルブシート９．１内に気密に侵入する。プランジャ１０のベース体１１内に、少なくとも１つの調整溝１６が設けられていて、この調整溝１６は、シール領域９．２と可動子室７との間の体積調整１４を可能にする。この場合、プランジャ１０は、その可動子５に向いた側の端部に、バルブインサート８内でプランジャ１０の半径方向ガイド１９を形成する環状円筒形の外側輪郭１２と、軸方向の切欠１３とを有しており、この軸方向の切欠１３は、ベース体１１内で少なくとも１つの調整溝１６とのオーバラップ１７を有していて、少なくとも１つの半径方向の切欠１８を介して可動子室７に接続されている。
【００１７】
さらに図１乃至図５に示されているように、プランジャ１０のベース体１１は図示の構成では、４つのウエブ１５および調整溝１６を備えたクローバーの葉の形に構成されており、これらのウエブ１５および調整溝１６は、軸方向の切欠１３とのそれぞれ１つのオーバラップ１７を有している。もちろん、その他の数のウエブ１６および調整溝１６が設けられていてもよい。
【００１８】
さらに図１乃至図５に示されているように、プランジャ１０の可動子当接面に、４つの半径方向の切欠１８が形成されており、これらの切欠１８は軸方向の切欠１３を可動子室７に接続する。
【００１９】
図示の実施例では、プランジャ１０は安価なプラスチック射出成形部分として構成されており、このプラスチック射出成形部分のベース体１１に、円筒形の外側輪郭１２、軸方向の切欠１３および４つの半径方向の切欠１８を備えた中空円筒形体が射出成形されている。バルブインサート８は一体的なスリットの付けられたスリーブとして構成されている。弁体９はキャップ状のスリーブとして構成されていて、このスリーブは、メインバルブシート９．１がバルブインサート８内に配置されるように、バルブインサート８の第２の端部内に押し込まれている。弁体９は、例えば深絞り部分として製作されていてよい。
【００２０】
ウエブ１５間の切欠若しくは調整溝１６は、シール領域９．１と可動子室７との間の体積調整を保証する。ウエブ１５自体は、図６に示された従来の弁カートリッジ１Ｈにおいて、バルブインサート８とプランジャ１０Ｈとの間の傾斜角度を制限する。これは、バルブインサート８が、周方向でウエブ幅よりも小さい、部分的な小さい真円度偏差ＲＡだけを有している限り有効である。真円度偏差ＲＡの領域がより大きい場合は、プランジャ１０Ｈの有効な半径方向遊びＲＳはより大きく、従来の弁カートリッジ１Ｈのプランジャ１０Ｈはこの箇所で、図６に示されているように、局所的により大きく傾斜し得る。さらに図７に示されているように、射出成形された円筒形の外側輪郭１２によって、本発明による弁カートリッジ１の実施例におけるプランジャの有効な半径方向遊びＲＳおよびひいてはプランジャ１０の傾きは、より大きい部分的な真円度偏差ＲＡにおいても制限される。これによって、本発明による弁カートリッジ１の実施例は製造公差に対してより安定している。これは特に、圧力調整精度、部分公差に基づく圧力調整精度のばらつき並びに同一の弁カートリッジ１における再現性のために当てはまる。
【００２１】
軸方向の切欠１３を可動子室７に接続する、プランジャ１０の可動子当接面における半径方向の切欠１８並びに円筒形の軸方向の切欠１３によって、シール領域９．２と可動子室７との間で必要とされる体積調整が好適な形式で可能である。
【００２２】
本発明による弁カートリッジ１の図示の実施例は、例えば、磁石構造群を備えた無電流開放式の電磁弁内に組み込まれてよい。この場合、弁カートリッジ１内で可動にガイドされている可動子５が、電磁弁を閉鎖するために、つまり閉鎖部材１１．２をメインバルブシート９．１内に押し付けるために、詳しく図示していない磁石構造群により生ぜしめられた磁力によって移動せしめられる。開放位置へのプランジャ１０のリセットは、磁石構造群の遮断時に詳しく図示していないリターンスプリングによって行われる。
【符号の説明】
【００２３】
１，１Ｈ  弁カートリッジ
３  カプセル
５  可動子
７  可動室
８  バルブインサート
９  弁体
９．１  メインバルブシート
９．２  シール領域
１０，１０Ｈ  プランジャ
１１  ベース体
１１．１  閉鎖体
１１．２  閉鎖部材
１２  外側輪郭
１３  軸方向の切欠
１４  体積調整
１５  ウエブ
１６  調整溝
１７  オーバラップ
１８  半径方向の切欠
１９  半径方向のガイド
ＲＡ  真円度偏差
ＲＳ  有効な半径方向遊び
【図１】
2019515221.tif 000003
【図２】
2019515221.tif 000004
【図３】
2019515221.tif 000005
【図４】
2019515221.tif 000006
【図５】
2019515221.tif 000007
【図６】
2019515221.tif 000008
【図７】
2019515221.tif 000009
【国際調査報告】
2019515221.tif 000010
2019515221.tif 000011
2019515221.tif 000012
2019515221.tif 000013